(57)【特許請求の範囲】
【請求項１】
下部に空気取り込み口が開口した後身頃と、着脱自在に保冷剤を収容し、前記後身頃の肩部の中央を弛ませた状態で左右の端部が前記後身頃の内側に縫い付けられた保冷剤収納部とを有し、前記保冷剤収納部の上辺と下辺における左右が前記後身頃の肩部に縫合されて、その間の上辺と下辺が前記後身頃の肩部に対して不縫合とされ夫々が排出口、流入口となる通風路が形成されており、かつ、
前記保冷剤収納部の上辺における左右の縫合位置は、下辺における左右の縫合位置よりも間隔が狭く、前記排出口の大きさが前記流入口よりも小さいことを特徴とする上着。
【請求項２】
請求項１の上着において、前記後身頃の肩部が肩ヨークとして、中央部と左右の肩部に分割されており、前記保冷剤収納部は前記肩ヨークの背面の内側であって、前記中央部と左右の肩部の縫合線の位置に前記保冷剤収納部の前記下辺における左右の前記縫合位置が存在することを特徴とする上着。
【発明の詳細な説明】
【技術分野】
【０００１】
本発明は、外部からファンにより衣服内に空気を取り込み、身体を冷却する上着に関するものである。
【背景技術】
【０００２】
作業員を保護する熱中症対策の一つとして最近はファン付上着が利用されている。ファンは、上着の後身頃の腰付近に設けられた開口に脱着自在に取付けられており、取り込まれた外気は首回りの襟口から排出され、身体を冷却する。首回りの襟口に大きな排出口を設けるために、襟近辺に調節紐を設けている。例えば、特許文献１によれば内側から襟の左右の間隔を短縮して襟を弛ませる調節紐を有し、襟と調節との間に排出口を確保して、この排出口を利用して背中から上に向かって流れた空気を排出する。この調節の長さを調節すれば排出口の大きさを変えることができる。
【０００３】
また、上着の内側にメッシュ状の布地を縫合することによって、ポケット状に形成された保冷剤収納部に冷却材を収納することも考えられている（特許文献２参照）。ファンにより取り込まれた空気は、冷却材が設けられている部分の流路を通過し、外部よりも温度の低い冷却風が身体を効率的に冷却する。
【先行技術文献】
【特許文献】
【０００４】
【特許文献１】特許第６２００１１３号公報
【特許文献２】特許第６２３３６７４号公報
【発明の概要】
【発明が解決しようとする課題】
【０００５】
調節紐により首回りの襟口の排出口の大きさを変更可能であるにも拘わらず、比較的多くのユーザーは、長さの調節を行わずに固定のまま使用しているのが現状である。また、保冷剤収納部は上着の生地に直接縫合されているため、ファンにより空気を取り込むと、上着は膨らみ、取り込まれた空気を冷却するも、保冷剤を着用者に当てることはできない。
そこで、本発明は、首周りの排出口を確保しつつ、保冷剤を着用者に当てることができる保冷剤収納部を有する上着を提供することを目的とする。
【課題を解決するための手段】
【０００６】
上記目的を達成するために、本発明の上着は、下部に空気取り込み口が開口した後身頃と、着脱自在に保冷剤を収容し、前記後身頃の肩部の中央を弛ませた状態で左右の端部が前記後身頃の内側に縫い付けられた保冷剤収納部とを有し、前記保冷剤収納部の上辺と下辺における左右が前記後身頃の肩部に縫合されて、その間の上辺と下辺が前記後身頃の肩部に対して不縫合とされ夫々が排出口、流入口となる通風路が形成されており、かつ、
前記保冷剤収納部の上辺における左右の縫合位置は、下辺における左右の縫合位置よりも間隔が狭く、前記排出口の大きさが前記流入口よりも小さいことを特徴とする。
【発明の効果】
【０００７】
本発明によれば、後身頃と保冷剤収納部の間に通風路が形成されているため、襟口に風の排出機構が形成されるとともに、通風路の流入口より排出口を狭めることになり、排出口に風が集められて、保冷剤収納部が着用者に押し付けられ肩部を冷却することができる。
【図面の簡単な説明】
【０００８】
【図１】実施例１の上着であり、図１Ａは襟口から見た概略図、図１Ｂは上着の背面図である。
【図２】後身頃及び保冷剤収納部の構造の説明図で、図２Ａは保冷剤収納部の生地の説明図、図２Ｂは後身頃の説明図、図２Ｃは後身頃と保冷剤収納部との縫合状態図、図２Ｄは図２Ｃの一部破断説明図である。
【図３】上着内部における風の流れの説明図である。
【図４】実施例２の上着であり、図４Ａは襟口から見た概略図、図４Ｂは上着の背面図である。
【図５】肩ヨーク及び保冷剤収納部の構造の説明図で、図５Ａは保冷剤収納部の生地の説明図、図５Ｂは肩ヨークの生地の説明図、図５Ｃは肩ヨークと保冷剤収納部との縫合状態図、図５Ｄは図５Ｃの一部破断説明図である。
【図６】実施例３の上着である。
【図７】フードを付けた上着である。
【発明を実施するための形態】
【０００９】
［実施例１］
以下、本発明に係る上着１の一実施の形態について、図面を用いて説明する。
図１において、上着１は前身頃２、後身頃３、袖部４、襟５を有し、前身頃２は前面を開閉できるファスナー１３が備えられている。後身頃３の下部の左右には、ファン（図示せず）を着脱自在に取り付け可能な空気取り込み口７が開口されている（図では２箇所）。後身頃３の衿口が弛んでおり、ファンより取り込まれた外部の空気は、衣服内側を通って排出される。上着１は、空気取り込み口７に取り付けられたファンにより上着１内に取り込まれた空気を排出する。なお、前身頃２に取り付けられた袋１２は、上着１内でバッテリを収納する袋であり、着用者の発汗による劣化からバッテリの端子金属を保護するために、防水加工がされた布により作成されている。
【００１０】
後身頃３には、内側に保冷剤収納部８が取り付けられている。保冷剤収納部８は長方形状の袋体であり、その左右両端が衿口の直下である後身頃３の肩部に縫合されている。上着１では、従来のファン付き上着にみられたような調整紐ではなく、保冷剤収納部８と後身頃３の間に通風路９を形成し、かつ保冷剤収納部８より後身頃３側の衿ぐりの下に弛みを設ける。実施例の保冷剤収納部８が長方形状で有るのは、一般に流通している保冷剤が長方形状であり、これを収容するのに適した形状であることが理由である。図２を参照して、保冷剤収納部８の構造を説明する。
【００１１】
図２は後身頃３の肩部及び保冷剤収納部８の構造の説明図で、図面は上着１の内側から見たものである。図２Ａにおいて、保冷剤収納部８は２枚の袋生地８ａ、８ｂからなる。袋生地８ａは、着用者側に触れる上着１の内側であり、本実施例においてはより強く冷感を感じさせるためにメッシュ状の生地が利用されている。袋生地８ａの上部はテープ生地８ｅが縫合されている。保冷剤収納部８は、袋生地８ａ及び袋生地８ｂの左右端１１がこれに沿った縫合線１１ａの位置で縫合され、下辺も縫合されて上部が開放された袋状になっている。袋生地８ｂの上部中央に面ファスナーによる係合部８ｃが設けられている。係合部８ｃは、袋生地８ａ側に設けられる係合部と係合して、上部は開閉自在となっている。袋生地８ａ側の係合部は、図面においてテープ生地８ｅの裏側に設けられるため図示されていない。
【００１２】
図２Ｂにおいて、縫合線１１ａの位置で、保冷剤収納部８は後身頃３に縫合される。後身頃３における縫合線１１ａの間隔Ｌ１は、後襟幅Ｌ０よりも若干長い。図中、線ｐは襟ぐりであり、後襟幅Ｌ０の範囲で凹状に切り込まれている。保冷剤収納部８における縫合線１１ａの間隔Ｌ２は、間隔Ｌ１よりも短い。この結果、後身頃３の襟ぐりの下側に弛みができることになる。また、間隔Ｌ２は、後襟幅Ｌ０よりも短い。袋生地８ａ及び袋生地８ｂの左右端１１が縫合線１１ａの位置で縫合されるとき、これに合わせて縫合線１１ａにおいて後身頃３に縫合される。
【００１３】
図２Ｃは、保冷剤収納部８と後身頃３が縫合された状態を示している。間隔Ｌ１と間隔Ｌ２との相違により、後身頃３の中央に弛みが形成されている。保冷剤収納部８の上下端は後身頃３に対して不縫合とされており、後身頃３と保冷剤収納部８の間を広げることができる。
【００１４】
縫合線８ｄの縫合位置ｈで保冷剤収納部８の袋生地８ｂと後身頃３とが縫い合わされる。図２Ｄは、袋生地８ａを一部破断させて、袋生地８ｂと縫合位置ｈが観察できるようにした図である。保冷剤収納部８の袋生地８ｂの上端において左右端１１から間隔Ｌ３の位置で、縫合線８ｄによる縫合位置ｈで縫い合わせている。間隔Ｌ３は、後身頃３および袋生地８ｂともに、同じ長さにしている。保冷剤収納部８の上辺側の後身頃３（襟ぐりの直下の位置）は、左右の縫合位置ｈの間において、間隔Ｌ１と間隔Ｌ２との長さの相違だけ弛んでいる（図中、間隔Ｌ４の範囲）。
【００１５】
上着１においては、通風路９は後身頃３と保冷剤収納部８の間に形成されている。後身頃３と縫合されていない不縫合の保冷剤収納部８の下辺が風の流入口、上端が排出口になる。従来のファン付き上着に見られたような調整紐とは異なり、流入口側と排出口側の大きさが異なっている。流入口は、縫合線１１ａの位置（主に縫合線１１ａの全長のうちで、保冷剤収納部８の下辺における縫合位置ｅ）で規制され、その大きさは、凡そＬ１＋Ｌ２である。一方、排出口は、縫合線８ｄによる縫合位置ｈの位置で規制され、その大きさは、凡そＬ４＋Ｌ１−２×４Ｌ３（すなわち、Ｌ１＋Ｌ２−４×Ｌ３）である。排出口の大きさは、流入口の大きさよりも小さくされている。
【００１６】
図３は上着内部における風の流れの説明図である。保冷剤収納部８の上部を開放して保冷剤１０を収納し、係合部８ｃを閉じる。上着１を着用し、ファンにより送られた風により上着は膨らみ、後身頃３と保冷剤収納部８の間に、通風路９が形成される。通風路９は衿口へ直結しており、襟口から空気が抜ける。通風路９では、流入口より排出口を狭めることにより排出口に風が集められるが、そのとき、排出口側で圧力が高まり、この圧力により保冷剤収納部８は着用者の肩に押し付けられる。このため、保冷剤収納部８は、肩から浮き上がることなく冷却することが可能になる。また、通風路９は、保冷剤収納部８の上下方向に匹敵する長さを有している。この長さは、流入口から排出口側へ到る間に次第に圧縮されることに寄与し、保冷剤収納部８が全体的に着用者の肩に押し付けることができる。なお、間隔Ｌ３で表した範囲については、縫合線８ｄと縫合線１１ａとの間に袋生地８ｂ若しくは後身頃３には弛みがないため、ここから空気が抜けることは殆ど無い。
【００１７】
［実施例２］
上記実施例１においては、縫合線１１ａの位置での縫合跡が上着１背中側の表面に現れている（図１Ｂ参照）。実施例２はこれを改善するものである。図４において、上着１は前身頃２、後身頃３、袖部４、襟５を有する点は同じであるが、後身頃３の肩部は、後身頃３の型紙を分けて切り出される肩ヨーク６となっている（生地の素材、柄は同じでも、相違しても良い）。尚、同じ番号の引用符号は、実施例１と同じであるので以降、説明を省略する。
【００１８】
肩ヨーク６の背面の内側に保冷剤収納部８が設けられている。保冷剤収納部８は、左右両端が肩ヨーク６に縫合線１１ａの位置で縫合されている。肩ヨーク６の生地は、さらに、右肩部６ａ、中央部６ｂ、左肩部６ｃに分かれており、図面において、右肩部６ａの右端と中央部６ｂの左端及び中央部６ｂの右端と左肩部６ｃの左端を縫合することにより肩ヨーク６が形成される。
【００１９】
図５は肩ヨーク６及び保冷剤収納部８の構造の説明図で、図面は上着１の内側から見たものである。中央部６ｂは、後襟幅Ｌ０よりも若干長い横幅を有している。左右の縫合線１１ａは、中央部６ｂの内側にある。図中、線ｑ１（右肩部６ａ、左肩部６ｃ）と線ｑ２（中央部６ｂ）とを合わせて肩線になっている。袋生地８ａ及び袋生地８ｂの左右端が縫合されるとき、これに合わせて、中央部６ｂと右肩部６ａ及び左肩部６ｃが縫合線１１ａにより縫合され、縫合の作業を一度に行う。
【００２０】
図５Ｃは、保冷剤収納部８と肩ヨーク６が縫合された状態を示している。同図において、中央部６ｂと右肩部６ａ及び左肩部６ｃを縫合する際、保冷剤収納部８の左右端を重ねて縫合線１１ａの位置で縫合されている。中央部６ｂにおける縫合線１１ａの間隔Ｌ１は、保冷剤収納部８における縫合線１１ａの間隔Ｌ２よりも長い。また、間隔Ｌ２は、後襟幅Ｌ０よりも短い。間隔Ｌ１と間隔Ｌ２との相違により、肩ヨーク６の中央に弛みが形成されている。保冷剤収納部８の上下端は肩ヨーク６に縫合されない。
【００２１】
図５Ｄは、袋生地８ａを一部破断させて、袋生地８ｂが観察できるようにした図である。縫合線８ｄの縫合位置ｈにおいて、保冷剤収納部８の肩ヨーク側の袋生地８ｂと肩ヨーク６とが縫い合わされる。保冷剤収納部８の肩ヨーク側の袋生地８ｂの上端において左右両端から長さＬ３の位置で、縫い合わせている。長さＬ３は、中央部６ｂおよび袋生地８ｂともに、同じ長さで有る。縫合位置ｈの間として間隔Ｌ４として示した中央部６ｂの部分は、上記間隔Ｌ１と間隔Ｌ２との相違により弛んでいる。
【００２２】
実施例１と同様に、流入口は縫合線１１ａの位置（主に縫合線１１ａの全長のうちで、保冷剤収納部８の下辺における縫合位置ｅ）で規制され、一方、排出口は縫合線８ｄにおける縫合位置ｈにより規制され、排出口の大きさは流入口の大きさよりも小さくされている。本実施例によれば、縫合線１１ａにおける縫合跡は、生地の切り替えにより上着１の背中側からは見ることができなくなるという効果がある。
【００２３】
［実施例３］
上記各実施例においては、通風路９の流入口は、保冷剤収納部８が後身頃３若しくは肩ヨーク６に縫い付けられる縫合線１１ａの縫合位置（縫合線１１ａの全長のうち保冷剤収納部８の下辺の縫合位置ｅ）により規定され、排出口は縫合線８ｄにおける縫合位置ｈにより規定されていた。これに替えて、図６に示すように、流入口から排出口に到る左右を上下に結ぶ縫合線ｓにより袋生地８ｂを後身頃３（若しくは肩ヨーク６、図では後身頃３）に縫い付けて通風路９を形成しても良い。左右の縫合線ｓの間隔は、保冷剤収納部８の下辺において間隔Ｌ１であり、保冷剤収納部８の上辺において間隔Ｌ４である。つまり、縫合線ｓの全長における保冷剤収納部８の下辺における縫合位置ｆが、実施例１、２における縫合線１１ａの全長のうち保冷剤収納部８の下辺における縫合位置ｅに相当する。また、縫合線ｓの全長における保冷剤収納部８の上辺における縫合位置ｇが、実施例１、２における縫合位置ｈに相当する。後身頃３は下辺の間隔Ｌ１の範囲から上辺の間隔Ｌ１の範囲において弛んでいる。
【００２４】
実施例３においては、実施例１、２のような縫合線１１ａに沿って上下に保冷剤収納部８の左右端を上下に縫うことを省略しても良い。なお、図中において、同じ番号の引用符号は、実施例１若しくは２と同じであるので説明を省略する。
【００２５】
上記各実施例の上着１には、図７に示すように、ユーザーの頭部を覆うフード１４を取り付けても良い。フード１４は、上着１に縫い付けられていても良いし、脱着自在でも良い。上着１に縫い付ける場合には、襟５の中に収容可能としても良い。フード１４は、ユーザーの聴力確保のため、左右の耳に相当する位置にメッシュ部１５を設けても良い。
【符号の説明】
【００２６】
１     上着
２     前身頃
３     後身頃
４     袖部
５     襟
６     肩ヨーク
６ａ     右肩部
６ｂ     中央部
６ｃ     左肩部
７     空気取り込み口
８     保冷剤収納部
８ａ、８ｂ     袋生地
８ｃ     係合部
８ｄ     縫合線
８ｅ     テープ生地
９     通風路
１０     保冷剤
１１     左右端
１１ａ     縫合線
１２     袋
１３     ファスナー
１４     フード
１５     メッシュ部
Ｌ０     後襟幅
Ｌ１     間隔
Ｌ２     間隔
Ｌ３     間隔
Ｌ４     間隔
ｅ     縫合位置
ｆ     縫合位置
ｇ     縫合位置
ｈ     縫合位置
【要約】
【課題】
首周りの排出口を確保しつつ、保冷剤を着用者に当てることができる収納部を有する上着を提供する。
【解決手段】
上着１は、下部に空気取り込み口７が開口した後身頃３と、着脱自在に保冷剤を収容し、後身頃３の襟口を弛ませた状態で左右の端部が後身頃３に縫い付けられた保冷剤収納部８を有している。保冷剤収納部８の上辺と下辺の左右が後身頃３に縫合されており、その間の上辺と下辺が不縫合とされ夫々が排出口、流入口となる通風路９が形成される。保冷剤収納部８の上辺における左右の縫合線８ｄの縫合位置ｈは、下辺における左右の縫合位置ｅよりも間隔が狭く、排出口の大きさが前記流入口よりも小さい。
【選択図】  図１【図１】
0006881800.tif 000002
【図２】
0006881800.tif 000003
【図３】
0006881800.tif 000004
【図４】
0006881800.tif 000005
【図５】
0006881800.tif 000006
【図６】
0006881800.tif 000007
【図７】
0006881800.tif 000008